(57)【要約】      （修正有）【課題】    本発明は、簡単な構成により、扉からの収容物品の出し入れ操作を作業性よく、効率的に行なうことができると共に、断熱性を、より向上できるようにした貯蔵庫を提供する。【解決手段】    貯蔵庫３は、本体と、物品を出し入れするための開口部４と、この開口部４に設けられ、開口部４を閉塞あるいは開放するための少なくとも２枚の観音開きの扉８、９と、この扉８、９の閉塞時、対向する扉と扉との間隙部１７を遮蔽するよう、各扉８、９の端面１８に設けられたパッキン１６とを備えてなる貯蔵庫３にあって、パッキン１６は、扉に取り付けるための取付部１９と、この取付部１９に間隔をもって対向するように立設された、少なくとも２つの遮蔽部２０a,２０bとからなり、扉を閉塞した状態で、双方の扉８の各遮蔽部２０a,２０bが互いに対応する遮蔽部同士で対をなし、これらが弾性的に重合し当接し合うようにしたものである。【選択図】    図７
2006258307.tif 000002
【特許請求の範囲】
【請求項１】
貯蔵庫本体と、
この貯蔵庫本体に設けられ、物品を出し入れするための開口部と、
この開口部に設けられ、前記開口部を閉塞あるいは開放するための少なくとも２枚の観音開きの扉と、
この扉の閉塞時、対向する扉と扉との間隙部を遮蔽するよう、各扉の端面に設けられたパッキンとを備えてなる貯蔵庫にあって、
前記パッキンは、扉にパッキンを取り付けるための取付部と、
この取付部に間隔をもって対向するように立設された、少なくとも２つの遮蔽部とからなり、
扉を閉塞した状態で、一方の扉の各遮蔽部と、他方の扉の各遮蔽部とが互いに対応する遮蔽部どうしで対をなし、これらが弾性的に重合し当接し合うようにしたことを特徴とする貯蔵庫。
【請求項２】
パッキンは、その取付部に、扉に嵌合させパッキンを扉に係止させるための突起を有する係止部を、遮蔽部と逆方向に立設するようにしたことを特徴とする請求項１記載の貯蔵庫。
【請求項３】
パッキンは、その取付部を硬質ゴム、硬質合成樹脂等の硬質材で、遮蔽部を軟質ゴム、軟質合成樹脂等の軟質材で形成するようにしたことを特徴とする請求項１記載の貯蔵庫。
【請求項４】
パッキンは、その取付部に、扉の端部をくわえ込むようにして端部を挟持する２つの保持部を、遮蔽部と逆方向に立設するようにしたことを特徴とする請求項１記載の貯蔵庫。
【発明の詳細な説明】
【技術分野】
【０００１】
本発明は、保冷車、冷凍車等において、物品を収容するために設けられる貯蔵庫に関するもので、詳しくは、貯蔵庫の扉からの収容物品の出し入れ操作を簡単に効率良く行なえ、しかも断熱性をより向上できるようにした貯蔵庫に関する。
【背景技術】
【０００２】
従来の保冷車等の貯蔵庫は、収容物品の出し入れのため開口部を設け、この開口部に観音開きの扉を設けている。そして、この扉は閉塞時、各扉の合わせ目で各扉自体の端部どうしを干渉させ、この干渉部分で庫内外の断熱を行なっている。つまり一方の扉が他方の扉を押さえ込むようにして扉を閉塞するように構成している。
【０００３】
しかし、このような貯蔵庫では、押さえ込まれた扉は、押さえ込んだ扉を開かないと開くことができない。そのため、押さえ込まれた扉側に収容した物品を取り出す場合、あるいは収容するような場合、扉の両方を開かなくてはならなく、非常に物品の出し入れ操作の作業性が悪いという欠点があった。
【発明の開示】
【発明が解決しようとする課題】
【０００４】
本発明は、前記した問題点を解決するためになされたもので、簡単な構成により、貯蔵庫の扉からの収容物品の出し入れ操作を作業性よく、効率的に行なうことができると共に、貯蔵庫の断熱性を、より向上できるようにした貯蔵庫を提供することを目的とする。
【課題を解決するための手段】
【０００５】
前記した問題を解決するための本発明の手段は、貯蔵庫本体と、この貯蔵庫本体に設けられ、物品を出し入れするための開口部と、この開口部に設けられ、前記開口部を閉塞あるいは開放するための少なくとも２枚の観音開きの扉と、この扉の閉塞時、対向する扉と扉との間隙部を遮蔽するよう、各扉の端面に設けられたパッキンとを備えてなる貯蔵庫にあって、前記パッキンは、扉にパッキンを取り付けるための取付部と、この取付部に間隔をもって対向するように立設された、少なくとも２つの遮蔽部とからなり、扉を閉塞した状態で、一方の扉の各遮蔽部と、他方の扉の各遮蔽部とが互いに対応する遮蔽部どうしで対をなし、これらが弾性的に重合し当接し合うようにしたものである。
【０００６】
また、請求項２記載の貯蔵庫は、請求項１記載の貯蔵庫において、パッキンは、その取付部に、扉に嵌合させパッキンを扉に係止させるための突起を有する係止部を、遮蔽部と逆方向に立設するようにしたものである。
【０００７】
また、請求項３記載の貯蔵庫は、請求項１記載の貯蔵庫において、パッキンは、その取付部を硬質ゴム、硬質合成樹脂等の硬質材で、遮蔽部を軟質ゴム、軟質合成樹脂等の軟質材で形成するようにしたものである。
【０００８】
さらに、請求項４記載の貯蔵庫は、請求項１記載の貯蔵庫において、パッキンは、その取付部に、扉の端部をくわえ込むようにして端部を挟持する２つの保持部を、遮蔽部と逆方向に立設するようにしたものである。
【発明の効果】
【０００９】
請求項１記載の貯蔵庫によれば、観音開きの各扉の端面にパッキンを設け、このパッキンを、取付部と、少なくとも２つの遮蔽部とから形成させ、扉を閉塞した状態で、一方の扉の各遮蔽部と、他方の扉の各遮蔽部とが互いに対応する遮蔽部どうしで対をなし、これらが弾性的に重合し当接し合うようにしたため、各扉は他の扉に干渉されることなく、独立して開閉することができる。そのため、物品を貯蔵庫内の所望の位置へ所望の扉を開けて収納でき、また、所望の位置から所望の扉を開けて取り出すことができ、物品の出し入れ操作を作業性よく、効率的に行なうことができる。また、各扉を独立して開閉できるにも、かかわらず、扉閉塞時の扉と扉の合わせ目に生じる間隙部は、互いに対をなし弾性的に重合し当接する、少なくとも２対の各遮蔽部で遮蔽されると共に、この重合する複数対の遮蔽部と各取付部とにより囲まれ形成された空気層からなる断熱空間により断熱されるため、貯蔵庫の断熱性をより向上できる。
【００１０】
また、請求項２記載の貯蔵庫によれば、上述した請求項１記載の発明の効果に加え、パッキンは、その取付部に、パッキンを扉に係止させるための突起を有する係止部を立設するようにしたため、パッキンをネジや当て板等を使うことなく、簡単な構成で容易に扉に取り付けることができる。しかも、取り付けられるパッキンは突起により嵌め込み易く、またこの突起の抜け止め作用により、より確実に固定できる。
【００１１】
また、請求項３記載の貯蔵庫によれば、上述した請求項１記載の発明の効果に加え、パッキンの取付部を硬質材で、遮蔽部を軟質材で形成するようにしたため、各扉に設けた各々対応する遮蔽部どうしが、安定して充分に弾性的に重合し当接し合うことができ、長期間にわたって継続して、より断熱性を向上できる。
【００１２】
さらに、請求項４記載の貯蔵庫によれば、上述した請求項１記載の発明の効果に加え、パッキンは、その取付部に、扉の端部を挟持する２つの保持部を立設するようにしたため、パッキンを扉に安定した状態でより確実に取り付けできる。またパッキンの扉端部に沿う遮蔽沿面距離を長くとれ、扉部の断熱性をより向上でき、また扉の意匠的効果も向上できる。
【実施例】
【００１３】
以下、本発明の貯蔵庫を、保冷車に適用した場合の一実施例について図面に従って説明する。
１は保冷車で、この保冷車１は、車２と、この車２に設置した貯蔵庫本体３とから構成している。４は、この貯蔵庫本体３に設けられ、物品を出し入れするための開口部である。この貯蔵庫３は全体として箱状に形成され、内箱５と、外箱６と、この両箱間に充填された断熱材７とを備えている。
８、９は開口部４に設けられ、開口部４を閉塞あるいは開放するための、少なくとも２枚の観音開きの扉である。この扉８、９は保冷車１の背面に位置するように設けられている。そして扉８、９は把手１０の操作により、ヒンジ１１を介して開閉自在に構成している。また、扉８、９は内板１２、外板１３および側部を形成する枠１４とを有し、内部に断熱材１５を充填してある。そして、保冷車１は、貯蔵庫３の内部に生鮮食料品、冷凍食品などを収容し、この貯蔵庫３により庫内を低温状態に保冷することにより、これら物品の輸送を行なうようにしている。
【００１４】
また、１６、１６は、扉の閉塞時、対向する一方の扉８と、他方の扉９との間隙部１７を遮蔽するよう、各扉８、９の端面１８を形成する枠１４に設けられたパッキンである。このパッキン１６には、扉８、９にパッキン１６を取り付けるための取付部１９と、この取付部１９に間隔をもって対向するように立設された、少なくとも２つの遮蔽部２０ａ，２０ｂを設けてある。そして、扉８、９を閉塞した状態で、一方の扉８の各遮蔽部２０ａ，２０ｂと、他方の扉９の各遮蔽部２０ａ，２０ｂとが互いに対応する遮蔽部２０ａ，２０ａおよび２０ｂ、２０ｂどうしで対をなし、これらが弾性的に重合し当接し合うように構成してある。またパッキン１６は、その取付部１９に、扉８、９に嵌合させパッキン１６を扉８、９に係止させるための突起２１を有する係止部２２を、遮蔽部２０ａ，２０ｂと逆方向に立設させてある。２３は扉８、９の端面１８を形成する枠１４に設けられた溝で、図４乃至図６に示すように、パッキン１６は、この溝２３に係止部２２を押し込み嵌合させることにより、ネジや取付のための当て板等を使用することなくワンタッチで、扉８、９に簡単に係止することができる。そして係止されるパッキン１６は、係止部２２の突起２１により、嵌め込み易く、また、この突起２１の抜け止め作用により、より確実に取り付けできるように構成している。そして、この突起２１の数を増やせば、取り付けをより強固なものとすることもできる。また長期間の使用でパッキン１６が老化し、このパッキン１６を交換する場合にも、係止部２２を溝２３から取り外すだけの簡単な操作で行なえる。
また、このパッキン１６は、その取付部１９を硬質ゴム、硬質合成樹脂等の硬質材で、遮蔽部２０ａ，２０ｂを軟質ゴム、軟質合成樹脂等の軟質材で一体押し出し成形により形成するようにしてある。そのため、対をなす各遮蔽部２０ａ，２０ａおよび２０ｂ，２０ｂどうしが、安定して充分に弾性的に重合し当接し合うことができ、長期間、継続して断熱性を良好に保持できる。なお、扉８、９と開口部４との間の断熱は、図示しないが適宜パッキンで断熱するように構成させてある。
【００１５】
また、パッキン１６は、その取付部１９に、扉８、９の端部２４を、くわえ込むようにして端部２４を挟持する２つの保持部２５、２５を、遮蔽部２０ａ，２０ｂと逆方向に立設させてある。このように形成した場合には、パッキン１６をさらに安定した状態に取り付けできると共に、パッキン１６の扉８、９の端部２４に沿う遮蔽沿面距離を長くとれ、扉部の断熱性をより向上させることも可能となり、また扉８、９の意匠的効果も向上できる。また、これら保持部２５、２５は、硬質ゴム、硬質合成樹脂等の硬質材で形成し、取付部１９、遮蔽部２０ａ，２０ｂと共に、一体押し出し成形で形成させればよい。
【００１６】
以上のように構成する貯蔵庫の動作について説明する。図２、図３は保冷車１の貯蔵庫３内に物品を収容し、貯蔵庫３の開口部４を扉８、９で閉塞した状態を示す。この閉塞状態では、扉８、９の合わせ目の間隙部１７は、各扉８、９に設けたパッキン１６の各遮蔽部２０ａと２０ａが、また各遮蔽部２０ｂと２０ｂがそれぞれ対をなし、これらが弾性的に重合し当接することにより、遮蔽断熱される。また、各遮蔽部２０ａ、２０ａと、２０ｂと２０ｂと、一方の取付部１９と、他方の取付部１９との４面で囲まれた空気層からなる断熱空間２６が形成されることにより、間隙部１７の断熱性は、さらにより向上される。そのため、貯蔵庫３は内部の物品の保冷作用をより向上できる。なお、遮蔽部２０ａ、２０ｂは、１つのパッキン１６に２つと限定するものでなく、２つ以上適宜の数、設けてよく、これにより、さらに断熱性の向上をはかれる。
【００１７】
また、図７は貯蔵庫３内に物品を出し入れする状態を説明する図、つまり、一方の扉８を開放させる状態を示すものである。まず把手１０を操作すると共に、図示しない扉８のロックを外し、図７（ａ）のように矢印の向きに扉８を引くと、パッキン１６の各遮蔽部２０ａ、２０ａおよび２０ｂと２０ｂは図７（ｂ）のように弾性的に摺動しながら少しずつ当接状態が解除されていき、さらに、この弾性力に抗して扉８を開くことにより、図７（ｃ）のようにパッキン１６と１６とは、当接状態を全て解除され扉８は開放される。また、各遮蔽部２０ａ、２０ｂは開放後、自身の復元力により、元の形状に戻る。そして、物品を出し入れできる。
【００１８】
また、図８は、前述のように開放した一方の扉８を閉める場合を示すものである。図８（ａ）に示すように、矢印の向きに扉８を閉めていくと、図８（ｂ）のように遮蔽部２０ａと２０ｂとが弾性的に当接する。さらに、この弾性力に抗して扉８を閉めることにより扉８は、図８（ｃ）のように閉塞状態となる。そして、閉塞状態においては、前述と同様、遮蔽部２０ａと２０ａおよび２０ｂと２０ｂとが互いに弾性的に重合し当接され、間隙部１７を断熱遮蔽する。また、扉８は、再びロックが掛けられる。
【００１９】
さらに、図９は前述とは反対の、他方の扉９を開放させる場合を示す。つまり、扉９のロックを外した後、図９（ａ）の矢印の向きに扉９を引くと、図９（ｂ）のようにパッキン１６の遮蔽部２０ａと２０ｂとが弾性的に当接され、この弾性力に抗して扉９をさらに引くことにより、図９（ｃ）のように扉９が開放される。
【００２０】
また、図１０は、前述のように開放した扉９を閉める場合を示すものであり、前述の図８に示す場合と同様の操作により、扉９は、図１０（ｃ）のように閉塞状態になる。
【００２１】
このように、この貯蔵庫３は各扉８、９を独立して開閉することができ、物品の出し入れ操作を作業性良く行なえる。また、独立して開閉できるにも、かかわらず、扉閉塞時の扉８と扉９の間隙部１７は、パッキン１６により断熱遮蔽されるため、貯蔵庫３の断熱性をより向上できる。
なお、扉８、９は２枚と限定するものではなく、２枚以上、適宜の数を設けてよく、これにより、物品の出し入れを、より容易に行なえるようにすることもできる。また、この貯蔵庫３は、図示しないが冷凍車、冷蔵ショーケース等における貯蔵庫として適用するようにしても勿論よい。
【図面の簡単な説明】
【００２２】
【図１】本発明の貯蔵庫の一実施例を示す概略的斜視図である。
【図２】図１の貯蔵庫の概略的正面図である。
【図３】図２のＸ−Ｘ線に沿って切断した概略的断面図である。
【図４】図１の貯蔵庫の要部の取付状態を分解して示す概略的断面図である。
【図５】図１の貯蔵庫の要部の概略的断面図である。
【図６】図１の貯蔵庫の要部の取付状態を示す分解斜視図である。
【図７】図１の貯蔵庫の扉を開放させる状態を示す説明図で、（ａ）は概略横断面図、（ｂ）は要部の拡大断面図、（ｃ）は概略横断面図である。
【図８】図１の貯蔵庫の扉を閉塞させる状態を示す説明図で、（ａ）は概略横断面図、（ｂ）は要部の拡大断面図、（ｃ）は概略横断面図である。
【図９】図１の貯蔵庫の他方の扉を開放させる状態を示す説明図で、（ａ）は概略横断面図、（ｂ）は要部の拡大断面図、（ｃ）は概略横断面図である。
【図１０】図１の貯蔵庫の他方の扉を閉塞させる状態を示す説明図で、（ａ）は概略横断面図、（ｂ）は要部の拡大断面図、（ｃ）は概略横断面図である。
【符号の説明】
【００２３】
１        保冷車
３        貯蔵庫
４        開口部
８        扉
９        扉
16        パッキン
19        取付部
20a       遮蔽部
20ｂ     遮蔽部
21        突起
22        係止部
25        保持部
【図１】
2006258307.tif 000003
【図２】
2006258307.tif 000004
【図３】
2006258307.tif 000005
【図４】
2006258307.tif 000006
【図５】
2006258307.tif 000007
【図６】
2006258307.tif 000008
【図７】
2006258307.tif 000009
【図８】
2006258307.tif 000010
【図９】
2006258307.tif 000011
【図１０】
2006258307.tif 000012